(57)【要約】医療流体注入器と共に使用する注射器。特定の局面において、注射器は、長手方向軸と、前方端部と、後方端部とを有する本体を含む。少なくとも１つの注射器かみ合い部は、注射器の本体に連結され、注入器と動作可能に係合するように適合される。一部の実施形態において、注射器かみ合い部は、本体から外側に長手方向軸に実質的に垂直な平面に沿って延びる、第１のフランジと、第２のフランジと、第３のフランジとを含む。一部の実施形態において、注射器かみ合い部は、平行四辺形の断面を有する第１のフランジと、先細の表面を有する第２のフランジとを含む。一部の実施形態において、注射器かみ合い部は、Ｌ形の断面を有するフランジを含む。注射器かみ合い部の他の実施形態は、さらに他の適切な設計を含み得る。
2010523263.tif 000002
【特許請求の範囲】
【請求項１】
長手方向軸を有し、前方端部と後方端部とを含む本体であって、該前方端部は、そこに画定される流体排出部を有する、本体と、
該本体に連結される第１の注射器かみ合い部であって、該第１の注射器かみ合い部は、該本体から外側に該長手方向軸から離れるようにして該長手方向軸に実質的に垂直な平面に沿って延びる第１のフランジと、第２のフランジと、第３のフランジとを備えている、第１の注射器かみ合い部と
を備えている、注射器。
【請求項２】
長手方向軸を有し、前方端部と後方端部とを含む本体であって、該前方端部は、そこに画定される流体排出部を有する、本体と、
該本体に連結される第１の注射器かみ合い部であって、該第１の注射器かみ合い部は、該本体から外側に該長手方向軸から離れるようにして該長手方向軸に実質的に垂直な平面に沿って延びる第１のフランジと、第２のフランジと、第３のフランジとを備えている、第１の注射器かみ合い部とを備え、該第１のフランジは平行四辺形の形状の断面を有し、該第２のフランジは該長手方向軸に対して先細の表面を含む、注射器。
【請求項３】
長手方向軸を有し、前方端部と後方端部とを含む本体であって、該前方端部は、そこに画定される流体排出部を有する、本体と、
該本体に連結される第１の注射器かみ合い部であって、該第１の注射器かみ合い部は、該本体から外側に該長手方向軸から離れるようにして該長手方向軸に実質的に垂直な平面に沿って延びるフランジを備えている、第１の注射器かみ合い部とを備え、該フランジはＬ形の断面を表す、注射器。
【請求項４】
少なくとも１つのフランジは前記本体の前記後方端部の方に位置を定められ、請求項１〜３のうちのいずれか１項に記載の注射器。
【請求項５】
少なくとも１つのフランジは、前記本体の周囲の一部のみに延びる、請求項１〜４のうちのいずれか１項に記載の注射器。
【請求項６】
少なくとも１つのフランジは、その長さ方向に少しの不連続部も表さない、請求項１〜５のうちのいずれか１項に記載の注射器。
【請求項７】
少なくとも１つのフランジは、その長さ方向に少なくとも１つの不連続部を表す、請求項１〜６のうちのいずれか１項に記載の注射器。
【請求項８】
少なくとも１つのフランジは、そこに配置される空洞を有しない、請求項１〜７のうちのいずれか１項に記載の注射器。
【請求項９】
前記本体に連結され、前記第１の注射器かみ合い部と実質的に反対側に位置を決められる第２の注射器かみ合い部をさらに備えている、請求項１〜８のうちのいずれか１項に記載の注射器。
【請求項１０】
前記第１の注射器かみ合い部は、少なくとも約０．２平方インチの面積を有する、請求項１〜９のうちのいずれか１項に記載の注射器。
【請求項１１】
前記本体に可動に配置されるプランジャをさらに備えている、請求項１〜１０のうちのいずれか１項に記載の注射器。
【請求項１２】
前記プランジャは、該プランジャから後方に延びる突起部を備えている、請求項１〜１１に記載の注射器。
【請求項１３】
前記第１のフランジは、前記第２のフランジの遠位に位置を定められる、請求項２に記載の注射器。
【請求項１４】
前記第１のフランジは、前記第２のフランジの近位に位置を定められる、請求項２に記載の注射器。
【請求項１５】
医療流体注入器と、
該注入器に取り付けられる請求項１〜１４のいずれかに記載の注射器と
を備えている注入システム。
【請求項１６】
前記第１の注射器かみ合い部は、前記注入器のハウジングと係合される、請求項１５に記載の注入システム。
【請求項１７】
前記第１の注射器かみ合い部は、前記注入器のフェースプレートと係合される、請求項１５に記載の注入システム。
【請求項１８】
前記注入器は、前記注射器の前記第１の注射器かみ合い部と連結するように設計された注入器かみ合い部を含む、請求項１５〜１７のいずれか１項に記載の注入システム。
【請求項１９】
前記注入器かみ合い部は、前記第１の注射器かみ合い部と向かい合う外形を画定する、請求項１８のいずれか１項に記載の注入システム。
【請求項２０】
前記外形は、少なくとも１つの溝を画定する、請求項１９に記載の注入システム。
【請求項２１】
請求項１〜１５のいずれか１項に記載の注射器と医療流体注入器とを解除可能に相互に接続する方法であって、該方法は、
前記第１の注射器かみ合い部を該医療流体注入器の注入器かみ合い部に整列させることと、
該医療流体注入器に関して該注射器を回転して、該第１の注射器かみ合い部と該注入器かみ合い部とを係合した関係で配置することと
を包含する、方法。
【請求項２２】
第１の注入器かみ合い部を含む医療流体注入器と、
長手方向軸を有する本体および該本体に連結された第１の注射器かみ合い部を有する注射器と
を備え、
該第１の注入器かみ合い部は、該第１の注射器かみ合い部に相補的であり、該第１のかみ合い部と係合され、該第１の注射器かみ合い部は、該注射器の長手方向軸の方向に該第１の注入器かみ合い部と接触している少なくとも３つの表面を含む、注入システム。
【請求項２３】
第１の注入器かみ合い部を含む医療流体注入器と、
長手方向軸を有する本体および該本体に連結された第１の注射器かみ合い部を有する注射器と
を備え、
該第１の注入器かみ合い部は、該第１の注射器かみ合い部に相補的であり、該第１の注射器かみ合い部と係合され、該第１の注射器かみ合い部は、該注射器の長手方向軸の方向に該第１の注入器かみ合い部と接触している少なくとも第１の表面および第２の表面を含み、該第１の表面および該第２の表面のうちの一方は、該第１の表面および該第２の表面のうちの他方より大きい量の、該第１の注入器かみ合い部と接触している表面積を有する、注入システム。
【請求項２４】
第１の注入器かみ合い部を含む医療流体注入器と、
長手方向軸を有する本体および該本体に連結された第１の注射器かみ合い部を有する注射器と
を備え、
該第１の注入器かみ合い部は、該第１の注射器かみ合い部に相補的であり、該第１の注射器かみ合い部と係合され、該第１の注射器かみ合い部は、該注射器の長手方向軸の方向に該第１の注入器かみ合い部と接触している少なくとも第１の表面および第２の表面を含み、該第２の表面は該第１の表面に近位に位置を決められ、該第２の表面は該注射器の該長手方向軸に関して該第１の表面から半径方向に外側に位置を決められる、注入システム。
【請求項２５】
前記第１の注入器かみ合い部は、前記注入器のハウジング上に位置を決められる、請求項２２〜２４のいずれか１項に記載の注入システム。
【請求項２６】
前記第１の注入器かみ合い部は、前記注入器のフェースプレート上に位置を決められる、請求項２２〜２４のいずれか１項に記載の注入システム。
【請求項２７】
前記本体に連結され、前記第１の注射器かみ合い部と実質的に反対側に位置を決められる第２の注射器かみ合い部をさらに備えている、請求項２５〜２６のいずれか１項に記載の注入システム。
【請求項２８】
前記第２の注射器かみ合い部に相補的であり、該第２の注射器かみ合い部と係合される第２の注入器かみ合いシステムをさらに備えている、請求項２７に記載の注入システム。
【請求項２９】
前記第１の注射器かみ合い部は、少なくとも約０．２平方インチの面積を有する、請求項２２〜２８のうちのいずれか１項に記載の注入システム。
【発明の詳細な説明】
【技術分野】
【０００１】
（発明の分野）
本発明は、概して医療流体を注入する注射器および注入器に関し、より詳細には、そのような注入器の相補的かみ合い部に係合するように適合されたそのような注射器のかみ合い部に関する。
【背景技術】
【０００２】
（背景）
この欄は、本発明の様々な局面に関係し得る技術の様々な局面を読者に紹介することを意図しており、本発明の様々な局面は、以下に説明されかつ／または請求される。この考察は、読者に背景情報を提供する助けとなり、本発明の様々な局面をより良く理解することを容易にすると考えられる。従って、これらの陳述が、この理解において読まれるべきであり、先行技術の了承事項として読まれるべきではないことは理解されるべきである。
【０００３】
多くの医療処置中、様々な流体が診断または治療の目的のために患者の中に注入される。１つのそのような流体の例は、血管造影法、ＭＲＩ、またはＣＴ画像化を向上させるために用いられるコントラスト媒質である。これらの処置に用いられる注入器は、注射器から管を通って患者の中に流体を排出する自動化装置である傾向がある。注射器は、ユーザによって購入されたとき、しばしば流体によって（例えば、若干の適切な量のコントラスト媒質によって）既に満たされている。
【０００４】
上記の画像化処置において用いられる注射器は、概して空洞の内部および排出先端を有するバレルと、バレル内に配置される注射器プランジャとを含む。多くのそのような注入器において、注射器は交換可能である。例えば、注射器を交換するために、注射器の注射器プランジャとプランジャ駆動ラムとの結合を容易にする注射器の一部分が移動され得、次いで使用済の注射器が除去され得、その後新しい注射器が注入器に取り付けられ得る。
【０００５】
注入器への取り付けを容易にするために、各注射器は、注入器に位置を定められる注入器かみ合い部とかみ合うように適合された注射器かみ合い部分を含む。注射器かみ合い部は、注射器の後方端部の周囲の少なくとも一部に配置される傾向がある。これらの注射器かみ合い部は、概して、ロック係合で注入器かみ合い部と係合し得かつ／または注入器かみ合い部分によって係合され得る形状または外形を有する。一部の注入器において、注入器かみ合い部分は、注入器の注射器受け部分に位置を定められ、注入器の注射器受け部分の周囲の一部に配置される傾向がある。多くの例において、注射器かみ合い部および注入器かみ合い部が互いにほとんど接触しないかまたは全く接触しない方法で、注射器は、注入器の注射器受け部の中に挿入され得る。一旦、注射器かみ合い部分が注入器かみ合い部に対して所望の位置に位置を決められるように注射器が挿入されると、注射器は、注入器に対して回転させられ、注射器かみ合い部および注入器かみ合い部が互いにロック係合となるようにさせ得る。
【０００６】
従来の注入器の欠点は、異なる注入器（例えば、異なる会社によって作られる注入器）が異なる形状の注入器かみ合い部が備えつけられ、その結果、所与の注射器の特定の注射器かみ合い部が若干の注入器と適合し得ないことである。従って、それらの注入器のユーザは、彼らが使用する特定の注入器に適合する注射器のみを使用させられ得る。これは望ましくない。なぜなら異なる会社は異なる注射器を製造し（充填済対未充填、コントラスト媒質対他の流体、異なる充填量など）、従って、消費者は、所与の注射器が注入器に適合しないという理由だけで、消費者が望む特定の注射器および／または医療流体を用いることが妨げられ得る。
【０００７】
医療流体注入器と共に用いられる現在の注射器の欠点は、注入処置中に生成される力の関数である。例えば、ＣＴ注入中に２００ｍｌ注射器に対して圧力によって加えられる力は、特定の注入器かみ合い部において８００ポンドを超え得る。この力は、従来、主として注入器の注入器かみ合い部のせん断抵抗によって解決された。せん断力を増加させる１つの方法は、高いせん断抵抗を有する材料から注射器を形成することである。あいにく、充填済の注射器流体接触要件により良く適している多くの材料は、せん断抵抗に関して最適ではない場合がある。
【発明の概要】
【課題を解決するための手段】
【０００８】
（概要）
本発明の特定の局面は、以下に述べられ、本発明が取り得る特定の形態の簡単な概要を読者に提供する。これらの局面が本発明の範囲を限定することは意図されない。実際に本発明は、以下に述べられないことがあり得る様々な特徴および局面を包含し得る。
【０００９】
一局面において、注入器に（例えば、注入器のフェースプレートにまたは注入器ハウジングの前壁に）注射器を支持する機構が提供される。機構は、注射器の注射器かみ合い部と解除可能に係合可能である注入器の注入器かみ合い部を含む。一部の実施形態において、機構は、注入器に関して注射器の後方部分の回転時に、作動されかつ／または解除され得るインターロック機構として特徴づけられ得る。例えば、注入器かみ合い部は、注射器の後方端部の方に位置を定められる複数の注射器フランジ（たとえば、注射器かみ合い部）を受ける複数のスロットを含み得る。そういうものとして注射器フランジはスロットの中に挿入され得、注射器は、その後回転され得、注入器かみ合い部の注入器フランジの後の注射器フランジと係合し得る。
【００１０】
一部の実施形態において、注射器かみ合い部は、注射器の本体から外側に本体の長手方向軸から離れるようにして長手方向軸に実質的に垂直な平面に沿って延びる第１および第２のフランジを含む。一部の実施形態の注射器かみ合い部は、本体から外側に長手方向軸から離れるようにして長手方向軸に実質的に垂直な平面に沿って延びる第３のフランジをさらに含み得る。
【００１１】
任意の多数の設計が注射器の注射器かみ合い部に適し得る。例えば一部の実施形態において、注射器かみ合い部は、平行四辺形の形態の断面を有するフランジを含み得る。別の例として、一部の実施形態の注射器かみ合い部は、さらにまたは代わりに、注射器本体の長手方向軸に関して先細の表面を有するフランジを含み得る。一部の実施形態において、注射器かみ合い部は、フランジの長さに沿った任意の不連続部を表し得るかまたは表さない場合のあるＬ形の断面を表すフランジ含み得る。
【００１２】
本発明の注射器かみ合い部を組み込む注射器は、多数の注入器に適合することが見出され得、そのような注射器の消費者の選択肢を増加させ得る。本発明の少なくとも一部の注射器かみ合い部は２つ以上の注入器と適合するように設計されるが、その形状が、従来の注射器かみ合い部と比較して、そのような注射器かみ合い部の全体面積を増加させることが見出される。従って、本発明の注射器は、注入処置中に以前の注射器より大きなせん断力に耐えることが可能であり得る。そのようなものとして本発明の注射器は、注射器故障率を減少させ得る。
【００１３】
本発明の様々な局面に関して上に言及された特徴を持つ様々な改良が存在する。さらなる特徴がなおその上にこれらの様々な局面に組み込まれ得る。これらの改良および追加の特徴は、個々にまたは任意の組み合わせで存在し得る。例えば、１つ以上の示される実施形態に関して以下に論議される様々な特徴は、本発明の任意の上記の局面に単独にまたは任意の組み合わせで組み込まれ得る。再び、上記に提示される簡単な概要は、請求される主題に対して限定することなく、本発明の特定の局面および状況に読者を慣れさせることのみを意図される。
【図面の簡単な説明】
【００１４】
【図１】図１は、注入器に取り付けられた注射器とフェースプレートとを含む注入器の注入器ヘッドの斜視図である。
【図２】図２は、線２−２に沿って切った図１の注入器ヘッド、フェースプレート、および注射器の断面図である。
【図３Ａ】図３Ａは、注射器かみ合い部の一実施形態を描く、注射器の斜視図である。
【図３Ｂ】図３Ｂおよび図３Ｃは、第１の注入器のフェースプレートと係合している、図３Ａの注射器の断面図である。
【図３Ｃ】図３Ｂおよび図３Ｃは、第１の注入器のフェースプレートと係合している、図３Ａの注射器の断面図である。
【図３Ｄ】図３Ｄおよび図３Ｅは、第２の注入器のフェースプレートと係合している、図３Ａの注射器の断面図である。
【図３Ｅ】図３Ｄおよび図３Ｅは、第２の注入器のフェースプレートと係合している、図３Ａの注射器の断面図である。
【図４Ａ】図４Ａは、注射器かみ合い部の別の実施形態を描く、注射器の斜視図である。
【図４Ｂ】図４Ｂおよび図４Ｃは、第１の注入器のフェースプレートと係合している、図４Ａの注射器の断面図である。
【図４Ｃ】図４Ｂおよび図４Ｃは、第２の注入器のフェースプレートと係合している、図４Ａの注射器の断面図である。
【図４Ｄ】図４Ｄおよび図４Ｅは、第２の注入器のフェースプレートと係合している、図４Ａの注射器の断面図である。
【図５Ａ】図５Ａは、注射器かみ合い部のさらに別の実施形態を描く、注射器の斜視図である。
【図５Ｂ】図５Ｂおよび図５Ｃは、第１の注入器のフェースプレートと係合している、図５Ａの注射器の断面図である。
【図５Ｃ】図５Ｂおよび図５Ｃは、第１の注入器のフェースプレートと係合している、図５Ａの注射器の断面図である。
【図５Ｄ】図５Ｄおよび図５Ｅは、第２の注入器のフェースプレートと係合している、図５Ａの注射器の断面図である。
【図５Ｅ】図５Ｄおよび図５Ｅは、第２の注入器のフェースプレートと係合している、図５Ａの注射器の断面図である。
【図６Ａ】図６Ａは、注射器かみ合い部のなおも別の実施形態を描く、注射器の斜視図である。
【図６Ｂ】図６Ｂおよび図６Ｃは、第１の注入器のフェースプレートと係合している、図６Ａの注射器の断面図である。
【図６Ｃ】図６Ｂおよび図６Ｃは、第１の注入器のフェースプレートと係合している、図６Ａの注射器の断面図である。
【図６Ｄ】図６Ｄおよび図６Ｅは、第２の注入器のフェースプレートと係合している、図６Ａの注射器の断面図である。
【図６Ｅ】図６Ｄおよび図６Ｅは、第２の注入器のフェースプレートと係合している、図６Ａの注射器の断面図である。
【図７Ａ】図７Ａは、注射器かみ合い部のなおもさらに別の実施形態を描く、注射器の斜視図である。
【図７Ｂ】図７Ｂおよび図７Ｃは、第１の注入器のフェースプレートと係合している、図７Ａの注射器の断面図である。
【図７Ｃ】図７Ｂおよび図７Ｃは、第１の注入器のフェースプレートと係合している、図６Ａの注射器の断面図である。
【図７Ｄ】図７Ｄおよび図７Ｅは、第２の注入器のフェースプレートと係合している、図７Ａの注射器の断面図である。
【図７Ｅ】図７Ｄおよび図７Ｅは、第２の注入器のフェースプレートと係合している、図７Ａの注射器の断面図である。
【発明を実施するための形態】
【００１５】
（例示的実施形態の詳細な説明）
本発明の１つ以上の特定の実施形態が以下に説明される。これらの実施形態の簡潔な説明を提供する努力において、実際のインプリメンテーションの必ずしもすべての特徴が本明細書において説明されるとは限らない場合がある。任意の工学または設計のプロジェクトの場合のように、任意のそのような実際のインプリメンテーションの開発において、１つのインプリメンテーションから別のインプリメンテーションに変化し得る、システム関連および事業関連の制約への適合などの、開発者の特定の目標を達成するために、多数のインプリメンテーション特化の決定がなされなければならないことは理解されるべきである。さらに、そのような開発努力は、複雑であり、時間がかかり得るが、それでも、この開示の利益を有する当業者にとって、設計、製作および製造の定例の仕事であることは理解されるべきである。
【００１６】
図１〜図２を参照すると、アーム１４に取り付けられた注入器ヘッド１２を有する注入器１０が描かれており、アーム１４は同様に、天井、壁または床接合部（図示されていない）に取り付けられ得る。このことによって、注入器ヘッド１２の動きが可能になり、その結果、例えば、注入器ヘッド１２は、注射器１６を受容し、そして搭載し、患者（図示されていない）の中に流体を注入するように位置を決められ得る。注入器１０の内部機構を囲むものは、注入器ハウジング１８である。このハウジング１８は、ディスプレイパネル２０を含む。ディスプレイパネル２０は、注入器１０のオペレータが患者の中に注入された流体の量を監視するのを助ける。
【００１７】
注入器ハウジング１８の前方端部の方に、少なくとも一般的には注入器１０と注射器１６との間に位置を決められるものは、フェースプレート２２である。フェースプレート２２は、注入器１０のプランジャ駆動ラム２６の動きである長手方向軸２４に垂直な平面に沿ってスライド可能であり得る。このフェースプレート２２の目的は、注入器ハウジング１８と注射器１６との接続を容易にするためであり、特定の実施形態において、プランジャ駆動ラム２６の連結機構３２から注射器プランジャ３０の連結要素２８の係合解除を容易にするためである。例えば、注射器１６は、注射器１６の外側表面およびフェースプレート２２のそれぞれのかみ合い部４８と係合することによって、フェースプレート２２においてなど、注入器１０の中に搭載されそして注入器１０に連結され得る。特定の実施形態において、係合解除は、プランジャ駆動ラム２６の長手方向軸２４を横切るようにフェースプレート２２を動かすことによって作用され得る。横切る動作に加えてまたは横切る動作の代わりに、フェースプレート２２は、旋回軸方向の動作が可能であり得、注入器の圧力ジャケット３４の中に新しい注射器を後方搭載することを可能にし、かつ／またはフェースプレート２２が注射器プランジャ３０の後方に延びる連結要素２８とプランジャ駆動ラム２６の連結機構３２との係合を解除するように動かされた後に、圧力ジャケット３４から注射器の抜き取りおよび取り外しを可能にし得る。
【００１８】
透明であり得る圧力ジャケット３４は、フェースプレート２２から外側に延び、注射器１６を収納し得る。注射器１６および圧力ジャケット３４は、注入操作中に注入器１０によって作られる注入圧力に共同して耐えるように組み立てられる。本発明の一部の注入器がフェースプレート（例えば、２２）および／または圧力ジャケット（例えば、３４）を含まない場合があることに留意すべきである。例えば、圧力ジャケットが備えつけられた注入器は、低圧力注入用途における一部のユーザによって所望されない場合がある。
【００１９】
クレードル３６は、注入器１０に動作可能に接続される。示される実施形態において、クレードル３６は、フェースプレート２２の前部表面３８から延び、注射器１６および圧力ジャケット３４を支持する。クレードル３６は、注射器１６の中身を暖める機構を含み得、従って、注射器１６が注入器１０に取り付けられている間、注射器１６の中身が特定の所望の温度に維持されることを可能にし得る。注射器１６は、注射器１６内の医療流体（例えば、コントラスト媒質、塩水など）が暖められるように、クレードル３６に近接して保持される。
【００２０】
注射器１６は外側円筒形本体４０を含み、外側円筒形本体４０は、その前方端部において円錐形前壁部４２と一体化している。排出先端４６において終端しているネック４４は、前壁４２から前方に延び、前壁４２と一体化している。注射器１６の本体４０は、圧力ジャケット３４の内壁とぴったり連結する。この注射器１６は、注射器かみ合い部４８を含み、注射器かみ合い部４８は、放射状に外側に延びる環状のフランジの形態であり得、注射器１６の円筒形本体４０の後端部５０の軸に垂直で、後端部５０と一体化した平面に位置を決められる。注射器１６が圧力ジャケット３４内に位置を定められるとき、注射器かみ合い部４８は、圧力ジャケット３４の後端部５０に位置を定められる協力かみ合い部と整列し、かつ／またはフェースプレート２２に位置を定められるかみ合い部５２と連結するように配置される。このようにして、注射器１６および圧力ジャケットかみ合い部または注入器かみ合い部５２は、注射器１６を注入器１０に接続することを容易にする。
【００２１】
排出先端４６のネック４４は、その遠方端部に開口部５４を含み、開口部５４は、ネック４４内に形成される内部注射器空洞５６、円錐形前壁４２、および注射器１６の本体４０と連絡する。空洞５６の後端部は、注射器プランジャ３０の前方に向かう円錐形表面５８によってさらに画定される。円錐形表面５８は好ましくは傾斜しており、該傾斜は円錐形前壁４２の内部の傾斜と実質的に一致する。注射器プランジャ３０は、空洞５６が可変の容積となるように、注射器１６の本体４０内にぴったりスライド可能である。
【００２２】
ここで図３Ａ〜図３Ｅを参照すると、本発明の原理に従う注射器１６が示される。注射器１６の本体４０は、長手方向軸６０を有し、前方端部４９と後方端部５０とを含む。少なくとも１つの注射器かみ合い部（第１の注射器かみ合い部４８）は、本体４０に連結される。本体４０に「連結される」注射器かみ合い部４８（および本明細書において説明される他の実施形態の注射器かみ合い部）は、接合、接着剤または任意の他の適切な方法などによって本体に物理的に付着される別個の注射器かみ合い部を指し得るかまたは本体と一体化して形成される注射器かみ合い部を指し得る。注射器かみ合い部４８は、注入器１０と係合するように適合され、第１のフランジ６２と、第２のフランジ６４とを含み、その各々は、本体４０の長手方向軸６０に実質的に垂直な平面に沿って本体４０から外側に延びている。特に第１のフランジ６２は、後方表面６６と、前方表面６８とを含む。第１のフランジ６２の後方表面６６は、注射器１６の近位端７０と同一平面であるかまたは実質的に同一平面であり得る。第２のフランジ６４は、第１のフランジ６２の遠位に位置を定められ、後方表面７２と、前方表面７４とを含む。第２のフランジ６４の後方表面７２は、第１のフランジ６２の前方表面６８から間隔を空けて置かれる。第１および第２のフランジ６２、６４が注射器１６の他の実施形態において、本体４０に沿って（例えば、近位端から離れた）他の位置に位置を決められ得ることは留意されるべきである。さらに第１および第２のフランジ６２、６４の各々は、示される実施形態において概ね正方形または長方形の断面を有する。しかしこれは単に例示であり、他の形状の断面を有するフランジが用いられ得る。
【００２３】
図３Ａ〜図３Ｅに示される第１の注射器かみ合い部４８は、本体４０の円周のほぼ４分の１（すなわち、約９０°）に概ね等しい弓形長さを表す。しかしながら、注射器かみ合い部４８の他の実施形態は、約９０°より大きいかまたは小さい場合のある他の適切な弓形長さを表し得る。
【００２４】
図３Ｂ〜図３Ｅに見られ得るように、第１の注射器かみ合い部４８を含む注射器１６は、２つ以上の設計の注入器に取り付けられ得る。第１の注入器かみ合い部５２を有するフェースプレート２２を有する第１の注入器７６は図３Ｂ〜図３Ｃに描かれ、第２の注入器かみ合い部８０を有するフェースプレート２２を有する第２の注入器７８は図３Ｄ〜図３Ｅに描かれる。第１の注入器７６の注入器かみ合い部５２（図３Ｂ〜図３Ｃ）は、第１の注射器かみ合い部４８に相補的である外形８２によって画定される。換言すると、注入器かみ合い部５２の外形８２は、第１の注射器かみ合い部４８を画定する外形８４とぴったりと整列し、それと実質的に合致する。特に注入器かみ合い部５２は、フェースプレート２２の表面３８において画定される第１の溝８６および第２の溝８８であって、その間にフランジ８７が位置を定められる、第１の溝および第２の溝を有する。注射器１６がフェースプレート２２に動作可能に接続されるとき、第１のフランジ６２は第１の溝８６内に受容され、第２のフランジ６４は第２の溝８８内に受容される。そして従って、第１の注射器かみ合い部４８と注入器かみ合い部５２が係合した関係にあるとき、注入器かみ合い部５２のフランジ８７は、第１のフランジ６２と第２のフランジ６４との間に位置を決められる。再び当業者は、注入器かみ合い部溝８６、８８およびフランジ８７の断面形状が、例示される実施形態に示される正方形または長方形以外であり得、注射器かみ合い部４８のフランジ６２、６４の形状に依存し得ることを認識する。
【００２５】
第２の注入器７８の注入器かみ合い部８０（図３Ｄ〜図３Ｅ）は、第１の注射器かみ合い部４８と協力するが、第１の注射器かみ合い部４８と完全に相補的というわけではない外形８３によって画定される。換言すると、外形８３は、第１の注射器かみ合い部４８の外形８４と実質的に合致しない。しかしながら、外形８３は、第１の注射器かみ合い部４８と注入器かみ合い部８０とが係合し、注射器１６を第２の注入器７８に動作可能に接続するような方法で、注入器かみ合い部８０が第１および第２のフランジ６２、６４を正に受容するようなものである。特に注入器かみ合い部８０は、第１の注射器かみ合い部４８の第１のフランジ６２および第２のフランジ６４の両方を受ける注射器１６の長手方向軸６０に平行な寸法を有する単一の溝９０を含む。示される実施形態の単一の溝９０が長方形の断面を有するものとして描かれているが、当業者は、任意の代替の形状の単一の溝が注射器かみ合い部を受容し、注射器１６と第２の注入器７８との間の接続を形成し得る限り、任意の代替の形状の単一の溝が十分であり得ることを認識する。従って、図３Ａ〜図３Ｅの注射器１６は、異なる注入器かみ合い部５２、８０を有する異なる注入器７６、７８と共に用いられ得る。
【００２６】
図３Ａ〜図３Ｅをなおも参照すると、第１および第２のフランジ６２、６４の各々は、本体４０の後方端部５０の周囲の一部のみが延びる。この構成は、注射器１６が注入器１０のフェースプレート２２の中に搭載されることを可能にする。示される実施形態の注射器１６は、本体４０に動作可能に連結され、第１の注射器かみ合い部４８と実質的に反対側の環状の位置に位置を決められる第２の注射器かみ合い部９２をさらに含み得る。従って、第１および第２の注射器かみ合い部４８、９２は組み合わされて、本体４０の周囲のほぼ２分の１（すなわち、約１８０°）に概ね等しい弓形長さを囲む（但し、かみ合い部４８、９２は、本体４０の周囲の約２分の１以外の弓形長さを囲み得、第１および第２のかみ合い部を超え得ることは当業者によって認識される）。第１の注射器かみ合い部４８のように、第２のかみ合い部９２は、本体４０の長手方向軸６０に実質的に垂直な平面に沿って本体４０から外側に延びる第１および第２のフランジ９４、９６を含む。
【００２７】
図３Ａ〜図３Ｅをなおも参照すると、第１の注入器７６または第２の注入器７８のいずれかの中に注射器１６を搭載するために、第１の注射器かみ合い部４８の第１および第２のフランジ６２、６４ならびに第２の注射器かみ合い部９２の第１および第２のフランジ９４、９６は、第１および第２の注入器かみ合い部の間の隙間（図示されていない）に整列させられる。注射器１６は次いで、第１および第２の注射器かみ合い部４８、９２がフェースプレート２２の注入器かみ合い部に整列させられるまで、フェースプレート２２にある開口部の中に挿入される。注射器１６は次いで、第１の注入器７６の注入器かみ合い部５２または第２の注入器７８の注入器かみ合い部８０内に、そして第１の注入器７６の注入器かみ合い部５２または第２の注入器７８の注入器かみ合い部８０と向かい合う関係で、第１および第２の注入器かみ合い部４８、９２の位置を決めるように回転させられる。この位置において、注射器１６はフェースプレート２２に接続される。
【００２８】
図３Ａ〜図３Ｅに示される実施形態において見られ得るように、フランジ６２、６４、９４、９６の各々は、その長さに沿っていかなる不連続部も表さない。しかしながら、フランジ６２、６４、９４、９６の１つ以上がその長さに沿って少なくとも１つの不連続部を表し得ることは当業者によって認識される。そのような不連続部は例えば、フランジを通る隙間、フランジの中への切込み、またはフランジの波形の外形であり得る。
【００２９】
図３Ａ〜図３Ｅに示されるフランジ６２、６４、９４、９６の各々は、そこに画定される空洞を有しない。換言すると、注射器かみ合い部の特定のフランジの前方端部と後方端部との間に分裂を形成する不連続部とは反対に、空洞は所定のフランジの前方端部および後方端部においていかなる分裂も形成しないが、フランジの中空の部分を正に形成する。他の実施形態が本明細書において定義される少なくとも１つの空洞を有する１つ以上のフランジを含み得ることは注意されるべきである。
【００３０】
図３Ａ〜図３Ｅをなおも参照すると、注射器かみ合い部４８、９２は、注入器１０のフェースプレート２２と動作可能に係合するように適合される。しかしながら、当業者は、フェースプレートとの係合が本発明にとって必要ではないことおよび注射器かみ合い部４８、９２が注入器の別の部分（例えば、注入器のハウジング）と動作可能に係合するために用いられ得ることを認識する。
【００３１】
図３Ａ〜図３Ｅをさらに参照すると、注射器かみ合い部４８、９２は、注射器１６が従来の注射器かみ合い部より大きいせん断力に耐えることを可能にし得る。この特徴は、従来の注射器と比較して、そのような注射器の故障率を減少させ得る。上記のように、従来の注射器の欠点は、充填済注射器を作製する際に用いられる多くの材料が注入処置中に生成されるせん断力に耐えるのに不十分であることである。従って注射器かみ合い部は、注入中に注射器の本体からせん断され、結果として、注射器を取り替え、注入処置を繰り返すことが必要となり得る。この問題に対処するために以前は、せん断面積を増加させる（すなわち、例えば注射器の長手方向軸の方向などの注入力の方向に、注射器かみ合い部と注入器かみ合い部との間の接触の表面積を増加させる）ために、注射器かみ合い部のサイズが増加させられた。しかしながら射出成形中にそのような注射器かみ合い部を形成するとき、そのようなより大きい部分は、より小さい部と比較して、冷却プロセスによってもろくなる。従って、本発明の１つの局面は、注射器かみ合い部４８、９２の全せん断面積を増加させ（それによって注射器の故障率を減少させ）ながら、注射器かみ合い部４８、９２のサイズは減少され得る（それによって注射器かみ合い部の成形を改良する）という認識から生じる。従って、示される実施形態の注射器１６の注射器かみ合い部４８、９２の外形８４は、従来の注射器の注射器かみ合い部の面積と比較して、増加したせん断面積を有する注射器かみ合い部４８、９２という結果となる。例えば、（Ｐｉｔｔｓｂｕｒｇｈ，ＰＡの）Ｍｅｄｒａｄ，Ｉｎｃ．によって製造される、Ｍｅｄｒａｄ  ＥｎｖｉｓｉｏｎおよびＭｅｄｒａｄ  Ｖｉｓｔｒｏｎ注入器用の注射器は、約０．１２７平方インチのせん断抵抗面積を有する注射器かみ合い部を有する。これは、注射器かみ合い部の遠位端のみが、注入器かみ合い部の表面と接触している表面を有するという事実による。図３Ａ〜図３Ｅに示される実施形態の注射器かみ合い部４８は、２つのそのような表面（すなわち、第１のフランジ６２の前方表面６８および第２のフランジ６４の前方表面７４）を有する。従ってそれは、例えば、約０．２４６平方インチのせん断抵抗面積を有し得る。さらに、従来の注射器の注射器かみ合い部は、そこに空洞を含む注射器かみ合い部のフランジ構成のために、より弱い。しかしながら、図３Ａ〜図３Ｅに示される実施形態の注射器かみ合い部４８は、そのような空洞を全く含まない（すなわち、第１および第２のフランジ６２、６４は中実である）。従って、図３Ａ〜図３Ｅの注射器かみ合い部の実施形態は、せん断抵抗が実際に増加させられながら、各ラグ（ｌｕｇ）の厚さの減少により成形がより容易である。図３Ａ〜図３Ｅに示される注射器かみ合い部の特定の外形が単に例示であり、全体のせん断面積を増加させる任意の外形または形状が用いられ得ることは当業者によって認識される。
【００３２】
せん断抵抗だけを対象とする本発明の注射器の面積は、一部の実施形態において少なくとも０．１３平方インチであり得、一部の実施形態において少なくとも０．１４平方インチであり得、一部の実施形態において少なくとも０．１５平方インチであり得、一部の実施形態において少なくとも０．１６平方インチであり得、一部の実施形態において少なくとも０．１７平方インチであり得、一部の実施形態において少なくとも０．１８平方インチであり得、一部の実施形態において少なくとも０．１９平方インチであり得、一部の実施形態において少なくとも０．２０平方インチであり得、一部の実施形態において少なくとも０．２１平方インチであり得、一部の実施形態において少なくとも０．２２平方インチであり得、一部の実施形態において少なくとも０．２３平方インチであり得、一部の実施形態において少なくとも０．２４平方インチであり得、そして一部の実施形態において少なくとも０．２５平方インチであり得る。他の実施形態は、さらに他の適切なせん断抵抗面積を表し得る。
【００３３】
ここで図４Ａ〜図４Ｅを参照すると、少なくとも１つの注射器かみ合い部（第１の注射器かみ合い部４８）を有する注射器１６の第２の実施形態が示される。この第１の注射器かみ合い部４８は、注入器１０と係合するように適合され、第１のフランジ６２と、第２のフランジ６４と、第３のフランジ１００とを含み、その各々は、本体４０の長手方向軸６０に実質的に垂直な平面に沿って注射器１６の本体４０から外側に延びている。特に第１のフランジ６２は、後方表面６６と、前方表面６８とを含む。第１のフランジ６２の後方表面６６は、注射器１６の近位端７０と同一平面であるかまたは実質的に同一平面であり得る。第２のフランジ６４は、第１のフランジ６２と第３のフランジ１００との間に第１のフランジ６２の遠位に位置を定められ、後方表面７２と、前方表面７４とを含み、後方表面７２は、第１のフランジ６２の前方表面６８から間隔を空けて置かれる。第３のフランジ１００は、第２のフランジ６４の遠位に位置を定められ、後方表面１０２と、前方表面１０４とを含み、後方表面１０２は、第２のフランジ６４の前方表面７４から間隔を空けて置かれる。注射器１６の他の実施形態は、本体４０の表面に沿って、第１、第２および第３のフランジ６２、６４、１００の他の適切な位置決めを表し得る。第１、第２、第３のフランジ６２、６４、１００の各々は、示される実施形態において概ね正方形または長方形の断面を有するものとして示される。しかしながらこれは単に例示であり、他の形状の断面を有するフランジが用いられ得る。
【００３４】
図４Ａ〜図４Ｅに示される第１の注射器かみ合い部４８は、本体４０の円周のほぼ４分の１（すなわち、約９０°）に概ね等しい弓形長さを表す。しかしながら注射器かみ合い部４８の他の実施形態は、約９０°より大きいかまたは小さい場合のある他の適切な弓形長さを表し得る。
【００３５】
図４Ｂ〜図４Ｅに見られ得るように、第１の注射器かみ合い部４８を含む注射器１６は、異なる設計を有する注入器に取り付けられ得る。第１の注入器かみ合い部５２を有するフェースプレート２２を有する第１の注入器７６は図４Ｂ〜図４Ｃに描かれ、第２の注入器かみ合い部８０を有するフェースプレート２２を有する第２の注入器７８は図４Ｄ〜図４Ｅに描かれる。第１の注入器４８の注入器かみ合い部５２（図４Ｂ〜図４Ｃ）は、第１の注射器かみ合い部４８に相補的である外形８２によって画定される。換言すると、注入器かみ合い部８０の外形８２は、第１の注射器かみ合い部４８を画定する外形８４とぴったりと整列し、それと実質的に合致する。特に注入器かみ合い部５２は、示されるように、フェースプレート２２の表面３８に配置される第１の溝８６と、第２の溝８８と、第３の溝１０６とを含む。注射器１６がフェースプレート２２に動作可能に接続されるとき、第１のフランジ６２は第１の溝８６内に受容され、第２のフランジ６４は第２の溝８８内に受容され、第３のフランジ１００は第３の溝１０６内に受容される。上記の実施形態の場合のように、当業者は、注入器かみ合い部溝８６、８８、１０６の断面形状が、例示される実施形態に示される正方形または長方形以外であり得、注射器かみ合い部４８のフランジ６２、６４、１００の形状に依存し得ることを認識する。
【００３６】
第２の注入器７８の注入器かみ合い部８０（図４Ｄ〜図４Ｅ）は、第１の注射器かみ合い部４８と協力するが、第１の注射器かみ合い部４８と完全に相補的というわけではない外形８３によって画定される。換言すると、外形８３は、第１の注射器かみ合い部４８の外形８４と実質的に合致しない。しかしながら外形８３は、第１の注射器かみ合い部４８および注入器かみ合い部８０が係合し、注射器１６を第２の注入器７８に動作可能に接続するような方法で、注入器かみ合い部８０が第１、第２、第３のフランジ６２、６４，１００を正に受容するようなものである。特に注入器かみ合い部８０は、第１の注射器かみ合い部４８の第１のフランジ６２、第２のフランジ６４、および第３のフランジ１００を受容する注射器１６の長手方向軸６０に平行な寸法を有する単一の溝９０を含む。前の実施形態における上記のように、図４Ｃの示される実施形態の単一の溝９０が長方形の断面を有するものとして描かれているが、当業者は、任意の代替の形状の単一の溝が注射器かみ合い部４８を受容し、注射器１６と第２の注入器７８との間の接続を形成し得る限り、任意の代替の形状の単一の溝が十分であり得ることを認識する。従って、図４Ａ〜図４Ｅの実施形態の注射器１６は、異なる注入器かみ合い部５２、８０を有する異なる注入器７６、７８と共に用いられ、それによって注射器１６の汎用性を増加させ得る。
【００３７】
上記の図３Ａ〜図３Ｅに示される実施形態のように、図４Ａ〜図４Ｅの注射器実施形態において、フランジ６２、６４、１００の各々は、注射器１６の本体４０の周囲の一部のみが円周方向に延び得る。図４Ａ〜図４Ｅの注射器１６は、本体４０に動作可能に連結され、第１の注射器かみ合い部４８と実質的に反対側の位置に位置を決められる第２の注射器かみ合い部９２を含む。従って、示されるように、第１および第２の注射器かみ合い部４８、９２は組み合わされて、本体４０の周囲のほぼ２分の１（すなわち、約１８０°）に概ね等しい弓形長さを囲む（但しかみ合い部４８、９２は、本体４０の周囲の約２分の１以外の弓形長さを囲み得、第１および第２のかみ合い部を超え得ることは当業者によって認識される）。示される実施形態は、注射器かみ合い部４８、９２における不連続部または空洞を描かないが、当業者は、注射器かみ合い部４８、９２がそのような不連続部および／または空洞を表し得ることを認識する。さらに注射器かみ合い部４８はフェースプレート２２と係合するように示されるが、注射器かみ合い部４８は注入器のハウジングなどの注入器の他の部分と係合するように適合され得る。
【００３８】
図４Ａ〜図４Ｅの注射器かみ合い部４８、９２は、注射器１６が従来の注射器かみ合い部より大きいせん断力に耐えることを可能にし得る。このことは、従来の注射器と比較して、注射器１６の故障率を減少させ得る。例えば、図４Ａ〜図４Ｅに示される実施形態の注射器かみ合い部４８は、約０．２０５平方インチのせん断抵抗面積を有し得る。
【００３９】
ここで図５Ａ〜図５Ｅを参照すると、注射器１６の本体４０に連結された少なくとも１つの注射器かみ合い部（第１の注射器かみ合い部４８）を有する注射器１６の第３の実施形態が示される。この第１の注射器かみ合い部４８は、注入器１０と係合するように適合され、第１のフランジ６２と、第２のフランジ６４とを含み、その各々は、本体４０の長手方向軸６０に実質的に垂直な平面に沿って本体４０から外側に延びている。特に第１のフランジ６２は、後方表面６６と、前方表面６８とを含む。第１のフランジ６２の後方表面６６は、注射器１６の近位端７０と同一平面であるかまたは実質的に同一平面であり得る。第２のフランジ６４は、第１のフランジ６２の遠位に位置を定められ、後方表面７２と、前方表面７４とを含み、後方表面７２は、第１のフランジ６２の前方表面６８から間隔を空けて置かれる。注射器１６の他の実施形態は、本体４０の表面に沿って、第１、第２のフランジ６２、６４の他の適切な位置決めを表し得る。第１のフランジ６２は平行四辺形の形態の断面を有し、第２のフランジ６４は注射器１６の長手方向軸６０に関して非垂直でかつ非平行の角度で配置される先細の表面１０８を含む。第１のフランジ６２は平行四辺形の断面を有するものとして示され、第２のフランジ６４は先細の表面１０８を含むものとして示されるが、第１のフランジ６２が先細の表面１０８を含み得、第２のフランジ６４が平行四辺形の断面を有し得ることは当業者によって理解される。
【００４０】
上記の実施形態のように、第１の注射器かみ合い部４８は、図５Ａ〜図５Ｅに示されるように、本体４０の円周のほぼ４分の１（すなわち、約９０°）に概ね等しい弓形長さを囲む。しかしながら注射器かみ合い部４８が約９０°より大きいかまたは小さい弓形長さを囲み得ることは当業者によって理解される。
【００４１】
図５Ｂ〜図５Ｅに見られ得るように、第１の注射器かみ合い部４８を含む注射器１６は、２つ以上の設計の注入器に取り付けられ得る。第１の注入器かみ合い部５２を有するフェースプレート２２を有する第１の注入器７６は図５Ｂ〜図５Ｃに描かれ、第２の注入器かみ合い部８０を有するフェースプレート２２を有する第２の注入器７８は図５Ｄ〜図５Ｅに描かれる。第１の注入器７６の注入器かみ合い部５２（図５Ｂ〜図５Ｃ）は、第１の注射器かみ合い部４８に相補的である外形８２によって画定される。換言すると、注入器かみ合い部５２の外形８２は、第１の注射器かみ合い部４８を画定する外形８４とぴったりと整列し、それと実質的に合致する。特に注入器かみ合い部５２は、フェースプレート２２の表面３８に配置される第１の溝８６と、第２の溝８８とを含む。従って、第１の溝８６は平行四辺形の形態の断面を有し、第２の溝８８は第２のフランジ６４の表面と相補的に合致する先細の表面を含む。注射器１６がフェースプレート２２に動作可能に接続されるとき、第１のフランジ６２は第１の溝８６内に受容され、第２のフランジ６４は第２の溝８８内に受容される。再び当業者は、注入器かみ合い部溝８６、８８の断面形状が、例示される実施形態に示される形状以外であり得、注射器かみ合い部４８のフランジ６２、６４の形状に依存し得ることを認識する。
【００４２】
第２の注入器７８の注入器かみ合い部８０（図５Ｄ〜図５Ｅ）は、第１の注射器かみ合い部４８と協力するが、第１の注射器かみ合い部４８と完全に相補的というわけではない外形８３によって画定される。換言すると、外形８３は、第１の注射器かみ合い部４８の外形８４と実質的に合致しない。しかしながら外形８３は、第１の注射器かみ合い部４８および注入器かみ合い部８０が係合し、注射器１６を第２の注入器７８に動作可能に接続するような方法で、注入器かみ合い部８０が第１および第２のフランジ６２、６４を正に受容するようなものである。特に注入器かみ合い部８０は、第１の注射器かみ合い部４８の第１のフランジ６２および第２のフランジ６４の両方を受容する注射器１６の長手方向軸６０に平行な寸法を有する単一の溝９０を含む。さらに、示される実施形態の単一の溝９０が長方形の断面を有するものとして描かれているが、当業者は、任意の代替の形状の単一の溝が注射器かみ合い部４８を受容し、注射器１６と第２の注入器７８との間の接続を形成し得る限り、任意の代替の形状の単一の溝が十分であり得ることを認識する。従って、上記の実施形態のように、図５Ａ〜図５Ｅの実施形態の注射器１６は、異なる注入器かみ合い部５２、８０を有する異なる注入器７６、７８と共に用いられ得、それによって注射器１６の汎用性を増加させる。
【００４３】
上記の図３Ａ〜図３Ｅに示される実施形態のように、図５Ａ〜図５Ｅの実施形態において、第１および第２のフランジ６２、６４の各々は、本体４０の後方端部５０の周囲の一部のみが円周方向に延び得る。示される実施形態の注射器１６は、本体４０に動作可能に連結され、第１の注射器かみ合い部４８と実質的に反対側に位置を決められる第２の注射器かみ合い部９２をさらに含む。従って、示されるように、第１および第２の注射器かみ合い部４８、９２は組み合わされて、本体４０の周囲の少なくともほぼ２分の１（すなわち、約１８０°）に概ね等しい弓形長さを囲む（但しかみ合い部４８、９２は、本体４０の周囲の約２分の１以外の弓形長さを囲み得、第１および第２のかみ合い部を超え得ることは当業者によって認識される）。そして示される実施形態は注射器かみ合い部４８、９２における不連続部または空洞を描かないが、当業者は、注射器かみ合い部４８、９２がそのような不連続部および／または空洞を表し得ることは認識する。そして注射器かみ合い部４８、９２はフェースプレート２２と係合するように示されるが、注射器かみ合い部４８、９２は注入器１０のハウジング１８などの注入器１０の他の部分と係合するように適合され得る。
【００４４】
図５Ａ〜図５Ｅの実施形態の注射器かみ合い部４８、９２は、注射器１６が従来の注射器かみ合い部より大きいせん断力に耐えることを可能にし得る。このことは、従来の注射器と比較して、注射器１６の故障率を減少させ得る。例えば、図５Ａ〜図５Ｅに示される実施形態の注射器かみ合い部４８は、約０．３１０平方インチのせん断抵抗面積を有し得る。
【００４５】
ここで図６Ａ〜図６Ｅを参照すると、注射器１６の本体４０に連結された少なくとも１つの注射器かみ合い部（第１の注射器かみ合い部４８）を有する注射器１６の第４の実施形態が示される。第１の注射器かみ合い部４８は、注入器１０と動作可能に係合するように適合され、本体４０の長手方向軸６０に実質的に垂直な平面に沿って本体４０から外側に延びている少なくとも１つのフランジ６２を含む。さらにこのフランジ６２は、Ｌ形の断面を表し、注射器１６の本体４０の近位端７０の方に位置を決められる。注射器１６の他の実施形態は、本体４０の表面に沿ってフランジ６２の他の位置決めを表し得る。
【００４６】
図６Ａ〜図６Ｅに示される第１の注射器かみ合い部４８は、本体４０の円周のほぼ４分の１（すなわち、約９０°）に概ね等しい弓形長さを囲む。しかしながら上記のように、注射器かみ合い部４８が約９０°より大きいかまたは小さい弓形長さを囲み得ることは当業者によって理解される。
【００４７】
図６Ｂ〜図６Ｅに見られ得るように、第１の注射器かみ合い部４８を含む注射器１６は、異なる設計を表す注入器に取り付けられ得る。第１の注入器かみ合い部５２を有するフェースプレート２２を有する第１の注入器７６は図６Ｂ〜図６Ｃに描かれ、第２の注入器かみ合い部８０を有するフェースプレート２２を有する第２の注入器７８は図６Ｄ〜図６Ｅに描かれる。第１の注入器７６の注入器かみ合い部５２（図６Ｂ〜図６Ｃ）は、第１の注射器かみ合い部４８に相補的である外形８２によって画定される。換言すると、注入器かみ合い部５２の外形８２は、第１の注射器かみ合い部４８を画定する外形８４とぴったりと整列し、それと実質的に合致する。特に注入器かみ合い部５２は、フェースプレート２２の表面３８に配置される第１の溝８６を含む。この溝８６は、Ｌ形のフランジ６２と相補的に協力するＬ形の外形８２を含む。注射器１６がフェースプレート２２に動作可能に接続されるとき、Ｌ形の断面を有するフランジ６２は、注射器１６が注入器１０に動作可能に接続されるように第１の溝８６内に受容される。
【００４８】
第２の注入器７８の注入器かみ合い部８０（図６Ｄ〜図６Ｅ）は、第１の注射器かみ合い部４８と協力するが、第１の注射器かみ合い部４８と完全に相補的というわけではない外形８３によって画定される。換言すると、外形８３は、第１の注射器かみ合い部４８の外形８４と実質的に合致しない。しかしながら外形８３は、第１の注射器かみ合い部４８および注入器かみ合い部８０が係合し、注射器１６を第２の注入器７８に動作可能に接続するような方法で、注入器かみ合い部８０がＬ形のフランジ６２を正に受容するようなものである。特に注入器かみ合い部８０は、第１の注射器かみ合い部４８のフランジ６２を受容する注射器１６の長手方向軸６０に平行な寸法を有する単一の溝９０を含む。さらに、示される実施形態の単一の溝９０が長方形の断面を有するものとして描かれているが、当業者は、任意の代替の形状の単一の溝が注射器かみ合い部４８を受容し、注射器１６と第２の注入器７８との間の接続を形成し得る限り、任意の代替の形状の単一の溝が十分であり得ることを認識する。従って、図６Ａ〜図６Ｅの実施形態の注射器１６は、異なる注入器かみ合い部５２、８０を有する異なる注入器７６、７８と共に用いられ得、それによって注射器１６の汎用性を増加させる。
【００４９】
図６Ａ〜図６Ｅの注射器実施形態において、フランジ６２は、本体４０の周囲の一部のみが円周方向に延び得る。示される実施形態の注射器１６は、本体４０に動作可能に連結され、第１の注射器かみ合い部４８と実質的に反対側に位置を決められる第２の注射器かみ合い部９２をさらに含む。従って、第１および第２の注射器かみ合い部４８、９２は組み合わされて、本体４０の周囲の少なくともほぼ２分の１（すなわち、約１８０°）に概ね等しい弓形長さを囲む（但しかみ合い部４８、９２は、本体４０の周囲の約２分の１以外の弓形長さを囲み得、第１および第２のかみ合い部を超え得ることは当業者によって認識される）。そして注射器かみ合い部９２はフェースプレート２２と係合するように示されるが、注射器かみ合い部９２は注入器のハウジングなどの注入器の他の部分と係合するように適合され得る。
【００５０】
図６Ａ〜図６Ｅの実施形態の注射器かみ合い部４８、９２は、注射器１６が従来の注射器かみ合い部より大きなせん断力に耐えることを可能にし得る。このことは、従来の注射器と比較して、注射器１６の故障率を減少させ得る。例えば、図６Ａ〜図６Ｅに示される実施形態の注射器かみ合い部４８は、約０．５５４平方インチのせん断抵抗面積を有し得る。
【００５１】
ここで図７Ａ〜図７Ｅを参照すると、注射器１６の本体４０に連結された少なくとも１つの注射器かみ合い部（第１の注射器かみ合い部４８）を有する注射器１６の第５の実施形態が示される。第１の注射器かみ合い部４８は、注入器１０と動作可能に係合するように適合され、本体４０の長手方向軸６０に実質的に垂直な平面に沿って本体４０から外側に延びている少なくとも１つのフランジ６２を含む。フランジ６２は、Ｌ形の断面を表し、本体４０の後方端部の方に位置を定められる。他の実施形態は、本体４０の表面に沿ってＬ形のフランジの他の適切な位置決めを表し得る。フランジ６２は、その長さに沿って不連続部１１０を含む。特にフランジ６２は、その長さに沿って複数の不連続部１１０を含む。不連続部１１０は、フランジ６２における切欠きとして示される。しかしながら当業者は、不連続部が切欠き以外の特徴（例えば、隙間または波形外形）を指し得ることを認識する。示される実施形態の不連続部１１０は、フランジ６２の前方表面６８から後方表面６６の方に延びるように示される。当業者は、このことが本発明にとって必須ではなく、不連続部が後方表面６６から前方表面６８の方に延び得ることを認識する。
【００５２】
図７Ａ〜図７Ｅの注射器かみ合い部４８は、本体４０の円周のほぼ４分の１（すなわち、約９０°）に概ね等しい弓形長さを囲む。しかしながら注射器かみ合い部４８が約９０°より大きいかまたは小さい弓形長さを囲み得ることは当業者によって理解される。
【００５３】
図７Ｂ〜図７Ｅに見られ得るように、第１の注射器かみ合い部４８を含む注射器１６は、２つ以上の設計の注入器に取り付けられ得る。第１の注入器かみ合い部５２を有するフェースプレート２２を有する第１の注入器７６は図７Ｂ〜図７Ｃに描かれ、第２の注入器かみ合い部８０を有するフェースプレート２２を有する第２の注入器７８は図７Ｄ〜図７Ｅに描かれる。第１の注入器７６の注入器かみ合い部５２（図７Ｂ〜図７Ｃ）は、第１の注射器かみ合い部４８に実質的に相補的である外形８２によって画定される。上記のように、注入器かみ合い部５２の外形８２は、第１の注射器かみ合い部４８を画定する外形８４とぴったりと整列し、それと実質的に合致する。特に注入器かみ合い部５２は、示されるように、フェースプレート２２の表面３８に配置される第１の溝８６を含む。この溝８６は、示されるように、Ｌ形のフランジ６２と協力するＬ形の外形８２を含む。注射器１６がフェースプレート２２に動作可能に接続されるとき、Ｌ形の断面を有するフランジ６２は、第１の溝８６内に受容される。
【００５４】
第２の注入器７８の注入器かみ合い部８０（図７Ｄ〜図７Ｅ）は、第１の注射器かみ合い部４８と協力するが、第１の注射器かみ合い部４８と完全に相補的というわけではない外形８３によって画定される。換言すると、外形８３は、第１の注射器かみ合い部４８の外形８４と実質的に合致しない。しかしながら外形８３は、第１の注射器かみ合い部４８および注入器かみ合い部８０が係合し、注射器１６を第２の注入器７８に動作可能に接続するような方法で、注入器かみ合い部８０がＬ形のフランジ６２を正に受容するようなものである。特に注入器かみ合い部８０は、第１の注射器かみ合い部４８のフランジ６２を受ける注射器１６の長手方向軸６０に平行な寸法を有する単一の溝９０を含む。さらに、示される実施形態の単一の溝９０が長方形の断面を有するものとして描かれているが、当業者は、任意の代替の形状の単一の溝が注射器かみ合い部４８を受容し、注射器１６と第２の注入器７８との間の接続を形成し得る限り、任意の代替の形状の単一の溝が十分であり得ることを認識する。従って、図７Ａ〜図７Ｅの実施形態の注射器１６は、異なる注入器かみ合い部５２、８０を有する異なる注入器７６、７８と共に用いられ得、それによって注射器１６の汎用性を増加させる。
【００５５】
さらに、図３Ａ〜図３Ｅに示される実施形態のように、図７Ａ〜図７Ｅの注射器実施形態において、フランジ６２は、本体４０の周囲の一部のみが円周方向に延び得る。さらに、示される実施形態の注射器１６は、本体４０に動作可能に連結され、第１の注射器かみ合い部４８と実質的に反対側に位置を決められる第２の注射器かみ合い部９２をさらに含む。従って、示されるように、第１および第２の注射器かみ合い部４８、９２は組み合わされて、本体４０の周囲の少なくともほぼ２分の１（すなわち、約１８０°）に概ね等しい弓形長さを囲む（但しかみ合い部４８、９２は、本体４０の周囲の約２分の１以外の弓形長さを囲み得、第１および第２のかみ合い部を超え得ることは当業者によって認識される）。そして注射器かみ合い部９２はフェースプレート２２と係合するように示されるが、注射器かみ合い部９２は注入器１０のハウジング１８などの注入器１０の他の部分と係合するように適合され得る。
【００５６】
さらに、図７Ａ〜図７Ｅの実施形態の注射器かみ合い部４８、９２は、注射器１６が以前の注射器かみ合い部より大きいせん断力に耐えることを可能にし得る。このことは、以前の注射器と比較して、本発明の注射器１６の故障率を減少させ得る。例えば、図７Ａ〜図７Ｅに示される実施形態の注射器かみ合い部４８は、例えば約０．２９１平方インチのせん断抵抗面積を有し得る。
【００５７】
さらなる利点および修正は、当業者にとって容易に明らかである。従って、より広い局面における本発明は、示されそして説明される、特定の詳細と、代表的な装置および方法と、実例とに限定されない。従って、出願人の全体的な発明の概念の範囲または精神から逸脱することなく、そのような詳細からの発展がなされ得る。
【図１】
2010523263.tif 000003
【図２】
2010523263.tif 000004
【図３Ａ】
2010523263.tif 000005
【図３Ｂ】
2010523263.tif 000006
【図３Ｃ】
2010523263.tif 000007
【図３Ｄ】
2010523263.tif 000008
【図３Ｅ】
2010523263.tif 000009
【図４Ａ】
2010523263.tif 000010
【図４Ｂ】
2010523263.tif 000011
【図４Ｃ】
2010523263.tif 000012
【図４Ｄ】
2010523263.tif 000013
【図４Ｅ】
2010523263.tif 000014
【図５Ａ】
2010523263.tif 000015
【図５Ｂ】
2010523263.tif 000016
【図５Ｃ】
2010523263.tif 000017
【図５Ｄ】
2010523263.tif 000018
【図５Ｅ】
2010523263.tif 000019
【図６Ａ】
2010523263.tif 000020
【図６Ｂ】
2010523263.tif 000021
【図６Ｃ】
2010523263.tif 000022
【図６Ｄ】
2010523263.tif 000023
【図６Ｅ】
2010523263.tif 000024
【図７Ａ】
2010523263.tif 000025
【図７Ｂ】
2010523263.tif 000026
【図７Ｃ】
2010523263.tif 000027
【図７Ｄ】
2010523263.tif 000028
【図７Ｅ】
2010523263.tif 000029
【国際調査報告】
2010523263.tif 000030
2010523263.tif 000031
2010523263.tif 000032